(57)【特許請求の範囲】
【請求項１】
防水性で蒸気透過性の靴底（11,111）と、前記靴底（11,111）の上方領域で結合するアセンブリ（12,112）とを備え、さらに、
-蒸気透過性外側甲革（13,113）、内側裏地（14,114）および、それらの間に介在する第１防水兼蒸気透過機能要素（15,115）と、
-少なくとも前記裏地（14,114）に周辺領域で接合され、多くの孔を有するか又は蒸気透過性である中底（16,116）を備え、
前記中底（16,116）の下方領域に接合され蒸気透過区域（19,119）において少なくとも一部が多くの孔を有するか又は蒸気透過性である可撓性防水要素（18,118）を備え、可撓性防水要素（18,118）は、薄い厚さを有する残りの部分とともに段差（20,120）を形成する厚い厚さも有し、前記靴底（11,111）は周辺が、前記蒸気透過区域（19,119）に対する周辺領域（24,124）において、前記アセンブリ（12,112）と前記可撓性防水要素（18,118）に、密封を形成するように、接合され、
前記蒸気透過性外側甲革（13）は、前記周辺エッジ（21）の下へ折り返され、かつ、接着されたアセンブリ端部（23）を有し、前記周辺エッジ（21）は前記可撓性防水要素（18）の薄い部分であり、かつ、前記蒸気透過区域（19）を取り囲むことを特徴とする、防水性で蒸気透過性の靴底と甲革を有する靴（10,110）。
【請求項２】
前記中底（16）は、共通の周辺接合領域（17）で縫合線（17a）によって前記内側裏地（14）および第１防水兼蒸気透過機能要素（15）に接合され、前記内側裏地（14）と第１防水兼蒸気透過機能要素（15）とは、前記周辺接合領域（17）において周辺エッジ（21）上に重ねられ、前記周辺エッジ（21）は、前記可撓性防水要素（18）の薄い部分であり、かつ、前記蒸気透過区域（19）を取り囲み、前記第１防水兼蒸気透過機能要素（15）に気密的に結合されることを特徴とする請求項１記載の靴。
【請求項３】
前記アセンブリ端部（23）は、前記可撓性防水要素（18）の前記周辺エッジ（21）の下に、前記段差（20）の側面まで折り込まれて接着されることを特徴とする請求項２記載の靴。
【請求項４】
前記中底（116）は周辺接合領域（117）において少なくとも前記内側裏地（14）に縫合線（117a）によって接合され、前記可撓性防水要素（118）は中底のように形作られ、その周辺エッジ（121）と、前記蒸気透過区域（119）を取り囲み前記縫合線（117a）を超えて横側面（135）と共に立ち上がりそれ自体を前記内側裏地（114）と第１防水蒸気透過機能要素（115）との間に介在させる前記可撓性防水要素（118）の薄い部分と、前記外側蒸気透過性外側甲革（113）と、前記第１防水兼蒸気透過機能要素（115）とが相互に結合して共にアセンブリ端部（123）を構成し、それらはアセンブリ端部（123）によって前記可撓性防水要素（118）の周辺エッジ（121）の下に折り込まれて気密的に接着され、前記第１防水兼蒸気透過機能要素（115）もまた前記周辺エッジ（121）の前記横側面（135）に気密的に接着されることを特徴とする請求項１記載の靴。
【請求項５】
前記第１防水兼蒸気透過機能要素（115）と前記蒸気透過性外側甲革（113）とが結合されて前記アセンブリ端部（123）を構成し、前記アセンブリ端部（123）によってそれらが前記可撓性防水要素（118）の前記周辺エッジ（121）の下に前記段差（20）の側面まで折り込まれて気密的に接着されることを特徴とする請求項４記載の靴。
【請求項６】
前記可撓性防水要素（18,118）は、前記蒸気透過区域（19,119）において貫通孔（18a,118a）を備えることを特徴とする請求項１記載の靴。
【請求項７】
前記可撓性防水要素（18,118）は防水性かつ蒸気透過性であり、上側層（25,125）と、小延長部を有して前記蒸気透過区域（19,119）に配置される下側層（26,126）とを含む複数層の中に設けられ、第２防水兼蒸気透過機能要素（27,127）が上側層（25,125）と下側層（26,126）との間に介在して前記下側層（26,126）の延長部に等しい最大延長部を有することを特徴とする請求項１記載の靴。
【請求項８】
前記第２防水兼蒸気透過機能要素（27,127）を有する前記上側層（25,125）と、前記下側層（26,126）を有する前記第２防水蒸気透過機能要素（27,127）とが、前記蒸気透過区域（19,119）の前記周辺領域（24,124）において防水密閉によって接着されることを特徴とする請求項７記載の靴。
【請求項９】
前記上側層（25,125）と前記下側層（26,126）は、それらを分離する第２防水兼蒸気透過機能要素（27,127）に関して対称に整列された各貫通孔（25a,125a,26a,126a）を備えることを特徴とする請求項７記載の靴。
【請求項１０】
前記靴底（11,111）は、接地面を形成する少なくとも１つの、多くの孔を有する下側部分（28,128）と、中央位置に設けられ、前記蒸気透過区域（19,119）において前記可撓性防水要素（18,118）の下に配置された蒸気透過性要素（31,131）を有する少なくとも１つの上側部分（29,129）とを備えることを特徴とする請求項１記載の靴。
【請求項１１】
前記下側部分（28,128）と上側部分（29,129）との間に、前記靴底（11,111）のアセンブリに気密的に接合される第３防水兼蒸気透過機能要素（32,132）が存在することを特徴とする請求項１０記載の靴。
【請求項１２】
前記第３防水兼蒸気透過機能要素（32,132）は、防水性で蒸気透過性の高分子材料で作られたモノリシックのシート状構造を有し、ISO 20344-2004規格の5.8.2章に示された方法によって評価された、約10Nより大きい浸透抵抗をそれに与えるだけの厚さを有することを特徴とする請求項１１記載の靴。
【請求項１３】
前記第１防水兼蒸気透過機能要素（15）は、前記第１防水兼蒸気透過機能要素と前記蒸気透過性外側甲革（13）との間に挿入される網に結合されることを特徴とする請求項１記載の靴。
【請求項１４】
前記可撓性防水要素（18,118）は、エチレン酢酸ビニル、微孔質ゴム、発泡ポリウレタン、熱可塑性ポリウレタン、ポリ塩化ビニルの中から選択されるタイプの高分子材料からつくられることを特徴とする請求項１記載の靴。
【請求項１５】
前記可撓性防水要素（18,118）は、厚い部分で2 mmと5 mmとの間の厚さを有し、残りの部分で0.5 mmと3.5 mmとの間の厚さを有する前記蒸気透過区域（19,119）が形成されることを特徴とする請求項１記載の靴。
【発明の詳細な説明】
【技術分野】
【０００１】
この発明は、防水性で蒸気透過性の靴底と甲革を有する靴に関する。
【背景技術】
【０００２】
靴の快適さは、構造上の適正な嵌合性のみならず、靴の内部で発汗作用によって生じる水蒸気の外部への適正な透過性につながる。
【０００３】
知られていることであるが、蒸気透過性は、靴の内部の微小気候と外部の微小気候の間の熱と水蒸気との適正な交換を確実にすることによってもたらされるが、その特性が靴の防水性を損なってはならない。
【０００４】
足の発汗作用の殆どは、足の裏と靴底との間の界面で生じる。汗は靴の内部環境に充満し、殆どが凝集して中底の上に沈滞する。
【０００５】
この理由のために、多くの孔を有する弾性体で作られ、かつ、水蒸気を通すが水を通さない膜がその上に孔を覆うように密封された靴底を用いた靴が、今まで数年間、改良を繰り返しながら提供されてきた。
【０００６】
しかしながら、蒸気透過性および防水性の特性は、靴底のみならず靴のほぼ全体に対して確保されなければならないが、外部の湿気と水に対する靴の非透過性を損なってはならない。
【０００７】
伝統的に、蒸気透過可能な靴は、皮革やその均等物のような天然材料を使用したものである。しかしながら、それは雨天時の水に対して良好な非透過性を保証しない。その水は、水をむしろ容易に吸収する適当な材料を介して、かつ、アセンブリの縫合線を介して浸透することができる。
【０００８】
この理由のため、密封される中底に縫合または接着される防水性で蒸気透過性の膜を重ねて作られる裏地に結合した甲革の外側材料を有する防水性の靴が、商業的に入手可能である。
【０００９】
防水性で蒸気透過性の膜を有する靴を提供する際に、外部から水が少しでも浸透しないようにするために、中底、膜、甲革の外側層、及び靴底の間の接合領域に効果的な密封を施す必要性があることも、特に感じられる。
【００１０】
足を完全に包むために、靴下のように閉じられた防水性で蒸気透過性の膜を有する裏地を使用した靴が知られている。
【００１１】
しかしながら、これは、いずれの場合でも、甲革の外側材料を介して水を浸透させ、防水性の裏地と甲革の内面との間に水を停留させる。また、液体の停滞によって、湿気に対する不快感が引き起こされ、結果として、靴の重量が増大し、必然的に使用者に対する快適さが減じられる。
【００１２】
添付の図１に示されるタイプの、国際特許出願公開第WO2005/070658号公報において本願と同じ出願人によって発明された防水性で蒸気透過性の靴も、知られている。これらの靴は、防水性で蒸気透過性の靴底Ａを有し、靴底Ａは多くの孔を有し蒸気透過性を有する下側部分Ｂと、外部周辺側部に対応する上側部分Ｃとによって構成される。防水性で蒸気透過性の層Ｄは、下側部分Ｂと上側部分Ｃとの間に挿入され、防水性で蒸気透過性の膜Ｄ１を備え、膜Ｄ１と共に保護層Ｄ２が下方領域に結合される。
【００１３】
蒸気透過性の外側甲革Ｆ、内側裏地Ｇ、及び、それらの間の防水性で蒸気透過性の膜Ｈによって構成されたアセンブリＥが、上方領域で靴底Ａと結合される。
【００１４】
内側裏地Ｇと膜Ｈとは中底Ｉに下方領域で縫合され、その下に縫合線を超えて横側面に立ち上がる中底Ｌが存在する。
【００１５】
甲革Ｆの下方エッジＦ１、つまり、アセンブリ端部は、中底Ｌの下に折り曲げられて接着される。中底Ｌの下に蒸気透過性要素Ｍが存在する。
【００１６】
靴底Ａは、外側周辺側部に関連する上側部分Ｃを重ねモールド処理（overmolding）により接合する領域で、アセンブリＥに密封を施すように封鎖される。
【００１７】
外側周辺側部に関連する靴底の上側部分Ｃは、重ねモールド処理されて、甲革Ｆの中底Ｌとの重複領域を覆っている。重ねモールド処理において、ポリマーの流動体全体はまた、甲革Ｆの下方エッジＦ１によって覆われない小区域Ｘにおいて中底Ｌの表面に到達し、その表面に付着して固着し、防水密封領域を形成する。
【００１８】
実際、靴の量産において、アセンブリ端部の長さを一定の再生可能な方法で制御することは、甲革の材料自体の一つの製造群と他の製造群との間に存在する伸張性の相違により、そして一つの組み立てラインの機械の他の組み立てラインの機械に対する牽引力の相違により、現実的には不可能である。
【００１９】
結果的に生じるこの構造の欠点は、靴底の上側部分Ｃの射出工程に結びついている。流動体のポリマーは、射出の間に、区域Ｘに関して中底Ｌの表面に完全に到達しないことがあり、水が浸透し得る区域を作り出し、その区域を介して水が蒸気透過性要素Ｍの方へ移動して中底Ｌ又は中底Ｉの孔を介して上昇する可能性がある。
【発明の概要】
【発明が解決しようとする課題】
【００２０】
この発明の目標は、蒸気透過性と防水性を同時に備える靴底と甲革を有し、既知のタイプの靴の欠点を排除する靴を発明することである。
【００２１】
この目標に含まれる、この発明の目的は、その製造が単純、かつ、迅速であり、防水性で蒸気透過性の靴底と甲革を有する靴を発明することである。
【００２２】
この発明の他の目的は、既知のシステムと技術によって製造可能な防水性で蒸気透過性の靴底と甲革を有する靴を発明することである。
【課題を解決するための手段】
【００２３】
以下において更に明らかになる、この目標とこれら及び他の目標は、防水性で蒸気透過性の靴底と、前記靴底に対して上方の領域で結合するアセンブリとを備え、さらに、
-蒸気透過性外側甲革、内側裏地、および、それらの間に介在する第１防水兼蒸気透過機能要素と、
-少なくとも前記裏地に周辺領域で接合され、多くの孔を有するか又は蒸気透過性を有する中底を備え、
前記中底に対して下方領域に接合され蒸気透過区域において少なくとも一部が多くの孔を有するか又は蒸気透過性である可撓性防水要素を備え、可撓性防水要素は段差を形成する厚い厚さを有し、前記靴底は周辺が、前記蒸気透過区域に対する周辺領域において、前記アセンブリと前記可撓性防水要素とに、密封するように接合されることを特徴とする、防水性で蒸気透過性の靴底と甲革を有する靴によって達成される。
【００２４】
この発明の更なる特徴と利点は、添付図の中に非限定例によって示される、この発明による靴の２つの好ましいが排他的でない実施形態の説明から更に明らかになる。
【図面の簡単な説明】
【００２５】
【図１】図１は、背景技術による構造を有する靴の図である。
【図２】図２は、この発明による靴の第１実施形態の一部の横断面図である。
【図３】図３は、この発明による靴の第１実施形態の変形体の一部の横断面図である。
【図４】図４は、使用位置に対して下から見た、可撓性要素の図である。
【図５】図５は、この発明による靴の第２実施形態の一部の横断面図である。
【図６】図６は、この発明による靴の第２実施形態の変形体の一部の横断面図である。
【発明を実施するための形態】
【００２６】
図２と図３を参照すると、この発明による靴の第１実施形態が、全体的に参照番号１０で示されている。
【００２７】
靴１０は、後述する防水性で蒸気透過性の靴底１１と、上方領域でそれと結合するアセンブリ１２とを備えると共に、蒸気透過性外側甲革１３と、内側裏地１４と、それらの間に介在し、例えば、発泡ポリテトラフルオロエチレン、ｅ-ＰＴＦＥから作られたタイプおよび／又はポリウレタンから作られたタイプ等の膜で構成され通常15ミクロンと70ミクロンの間で変化する厚さを有する第1防水兼蒸気透過機能要素１５とを備える。
【００２８】
この第１実施形態において、第1機能要素１５は、一方の側が裏地14に結合し、好ましくは、反対側、つまり、甲革１３の方を向く面が網に結合する。
【００２９】
アセンブリ１２はまた、この図示例では多数の孔を有する蒸気透過性中底１６を備える。
【００３０】
中底１６は、共通の周辺接合領域１７において、縫合線１７ａによって裏地１４と第1機能要素１５とに接合される。
【００３１】
図示例において、縫合線１７ａは、それ自体公知の種類のストローベル型であり、裏地１４と第1機能要素１５は、靴１０の靴底において、それらの下方エッジ２２が中底１６に至るまで折り曲げられている。
【００３２】
靴１０はまた、可撓性要素１８を備え、可撓性要素１８は、中底１６の下方領域に結合され、少なくともその一部が蒸気透過区域１９において（靴底１１の蒸気透過領域に対応するように）多数の孔を有するか蒸気透過性であり、可撓性要素１８はまた、厚い厚みを有し、薄い厚さを有する残りの部分によって段差２０を形成している。
【００３３】
図示された構造例において、使用位置に対して下から見た可撓性要素１８のみを示す図４においても明確に見られるように、蒸気透過区域１９は前足に配置され、周辺エッジ２１によって囲まれている。後程、明らかになるが、可撓性要素１８の一部は、他の材料を重ねることによって生ずる厚みスペースの占有を減ずるために外郭に向かって都合よく徐々に減らされて薄くなった厚みを有する。
【００３４】
変形として、もし靴底が、その全長に沿って多数の孔を有する区域、従って前足の領域を超えて伸びる区域を有すると、蒸気透過区域は、可撓性要素の全長に渡って伸びることができる。
【００３５】
可撓性要素１８は、都合よく、エチレン酢酸ビニル（ＥＶＡ）、微孔質ゴム、ポリウレタン（ＰＵ）、熱可塑性ポリウレタン（ＴＰＵ）、ポリ塩化ビニル（ＰＶＣ）等の中から選択されたタイプの高分子材料から作られ、この高分子材料は水の浸透に対する密封を保証する材料であるという特徴を有する。
【００３６】
さらに、可撓性要素１８はまた、蒸気透過区域１９において都合よく2 mmと5 mmとの間の厚さを有し、残りの部分において0.5 mmと3.5 mmとの間の薄い厚さを有する。
【００３７】
予想されるように、図２と図３に示され説明される実施例においては、裏地１４と第１機能要素１５は、靴１０の靴底において、それらの下方エッジ２２が中底１６に至るまで折り曲げられている。
【００３８】
それらは、周辺エッジ２１が都合よく接着、高周波溶接、又は相互モールド処理（co-molding）によって第１機能要素１５に結合されるので、可撓性要素１８の周辺エッジ２１の上に周辺接合領域１７において重ねられ、縫合線１７ａは浸透を避けるように密封される。
【００３９】
他の構造によれば、縫合線は最後と同じ高さに配置されるが、その場合には、裏地と機能要素が靴の靴底の上で折り返されることは不可欠ではなく、可撓性要素が縫合線を超えて横側面に上昇し、縫合線を覆って縫合線自体を機能要素に対して密封しなければならない。
【００４０】
また、周辺結合領域１７において、甲革１３のアセンブリ端部２３は、段差２０の側面に至るまで可撓性要素１８の周辺エッジ２１の下へ折り曲げられて接着される。
【００４１】
特に、アセンブリへの接着剤の適用は、周辺エッジ２１の薄い部分に限定されるが、その部分は都合よく削り取られている。
【００４２】
靴底１１はアセンブリ１２と可撓性要素１８とに結合される。
【００４３】
特に、靴底１１は、甲革１３のアセンブリ端部２３においてアセンブリ１２と、蒸気透過区域１９の周辺にある領域２４において可撓性要素１８と、少なくとも部分的なモールド処理によって、又は接着によって結合し、蒸気透過区域１９の周辺に密封を施す。
【００４４】
特に、図２に示される第１の変形に関して、可撓性要素１８は、厚い蒸気透過区域１９において貫通孔１８ａをそなえる。
【００４５】
図３に示される第２の変形は、可撓性要素１８のタイプにおいてのみ第１の変形と異なる。可撓性要素１８は、多くの孔を有し、上側層２５と下側層２６を含む複数層を備えるので、蒸気透過性で防水性であるが、下側層２６は小さい延長部を有し、蒸気透過区域１９に配置され（可撓性要素１８の厚さを厚くする）、上側層２５と下側層２６との間に、第２防水兼蒸気透過機能要素２７が介在し、第２防水兼蒸気透過機能要素２７は、第１防水兼蒸気透過機能要素１５のために説明したタイプのものであり、従って、例えば、膜によって構成された層である。
【００４６】
この第１実施形態において、第２機能要素２７の延長部は、都合よく下側層２６のそれに等しく、可撓性要素１８の蒸気透過区域１９を最大にする。
【００４７】
上側層２５と第２機能要素２７は接着され、蒸気透過区域１９の周辺の領域２４において互いに防水密封を施す。
【００４８】
下側層２６と第２機能要素２７も接着され、蒸気透過区域１９の周辺の領域２４においてそれらの間に防水密封を施す。
【００４９】
上側層２５と下側層２６とは、それらを分離する第２機能要素２７に関して対称的に整列した貫通孔をそれぞれ備える。
【００５０】
この第１実施形態の他の変形において、図示しないが、第２機能要素は下側層よりも小さい延長部を有するので、安全な密封を施すために蒸気透過区域の一部を縮小する。第２機能要素に密封を施すための各接着に加えて、上側層２５と下側層２６は、周辺が互いに第２機能要素に接着され、この場合でも、それらを分離する第２機能要素に関して対称的に整列される貫通孔をそれぞれ有する。
【００５１】
この実施形態で示される変形を再度考えると、靴底１１は、周辺がアセンブリ１２に気密的に接合されると共に、可撓性要素１８に少なくともその周辺領域２４において同様に接合される。特に、それは、アセンブリ１２の上に、少なくとも部分的に重ねモールド処理される。
【００５２】
特に、靴底１１は、多くの孔を有し接地面を形成する下側部分２８と、上側部分２９とから構成され、上側部分２９は、外側周辺側部３０によって好ましく構成されると共に、中央が蒸気透過要素３１によって構成され、蒸気透過要素３１は蒸気透過区域１９において、実質的には、中底１６と、接地面の多くの孔を有する区域において、可撓性要素１８の下に配置される。
【００５３】
図２と図３においてはっきりと見ることができるように、外側周辺側部３０は、可撓性要素１８の周辺領域２４に完全に重ねられている。
【００５４】
第１機能要素１５について説明したのと同じタイプの第３防水兼蒸気透過機能要素３２が、下側部分２８と上側部分２９との間に配置される。
【００５５】
変形として、第３機能要素３２は、欧州特許公報第EP2298099 B1号において本願の出願人によって記載された同じタイプのものであることができ、それは防水性で蒸気透過性の高分子材料で作られたモノリシックシート状構造を有し、ISO 20344-2004規格の5.8.2章に示された方法により算出された約10Nより大きい浸透抵抗をそれに与えるような厚さを有する。この場合には、その厚さは、第１機能要素１５の厚さのほぼ３または４倍である。
【００５６】
第３機能要素３２は、それ自体公知の蒸気透過性下方保護層３３に都合よく結合され、周辺が靴底１１のアセンブリと密封を形成するように接合される。
【００５７】
図を見ることによって、第３機能要素３２は、下側部分２８の上面に形成された平坦ポケット３４の中に配置され、特に、外側周辺側部３０と下側部分２８との間でロックされていることが分かる。
【００５８】
靴底１１は、蒸気の透過に割り当てられた領域に対応する中央部分に作用することなく、気密的に結合される。
【００５９】
可撓性要素１８の特別な段差状の形態によって、甲革１３のアセンブリ端部２３を、既に予想される方法で、段差２０の側面に至るまで折り返すことができ、それによって、周辺領域２４に対応する自由表面が存在し、流動性のポリマーが外側周辺側部３０への注入の間にその自由表面に都合よく到達する。
【００６０】
異なる変形において、既に予想されることであるが、靴底は、独立して設けられ、その後、可撓性要素を密封するようにアセンブリと接着によって結合されることが可能である。
【００６１】
この場合は、靴底は、可撓性要素１８の周辺領域２４上に完全に重ね合わされて防水性の封止を与えるように接着されるような形状を有する。
【００６２】
図５と図６は、この発明による靴の第２実施形態の２つの変形の図であり、その靴は全体が参照番号１１０によってここに示される。
【００６３】
靴１１０は、前述の靴にほぼ類似した防水性で蒸気透過性のタイプの靴底１１１と、それと上方領域で結合され蒸気透過性外側甲革１１３によって構成されるアセンブリ１１２と、内側裏地１１４と、蒸気透過性外側甲革１１３と内側裏地１１４とのあいだの第１防水兼蒸気透過機能要素１１５とを備え、第１防水兼蒸気透過機能要素１１５は、前述のものと同様にe-PTFEか、ポリウレタンか、又は他の類似材料から作られ、従ってこの場合も例えば膜によって構成される。
【００６４】
アセンブリ１１２は、この場合も蒸気透過性中底１１６を備え、蒸気透過性中底１１６はこの実施形態でも多くの孔を有する。
【００６５】
中底１１６は周辺接合領域１１７において、例えば、それ自体公知のストローベルタイプの縫合線１１７ａによって裏地１１４に接合される。
【００６６】
この実施形態においても、靴１１０は可撓性要素１１８を備え、可撓性要素１１８は中底１１６と下方領域で結合され、蒸気透過区域１１９において少なくとも一部が多くの孔を有するか、又は蒸気透過性であり（蒸気透過区域１１９は、靴１０の先の実施形態において靴底１１の蒸気透過領域に対応する）、可撓性要素１１８はまた、大きい厚さを有し、残りの薄い部分で段差１２０を形成する。
【００６７】
可撓性要素１１８は、靴１０の第１実施形態で述べた可撓性要素１８と、構造と厚さの条件において同じ特性を有する。
【００６８】
この実施形態においては、先のものとは異なり、可撓性要素１１８が中底のような形状を有し、周辺エッジ１２１が縫合線１１７ａを超えて横側面１３５として上昇し、それ自体が裏地１１４と第１機能要素１１５との間に介在している。
【００６９】
第１機能要素１１５はスポット接着によって甲革１１３に結合され、両者は、共にアセンブリ端部１２３を構成し、アセンブリ端部１２３が可撓性要素１１８の周辺エッジ１２１の下に段差１２０の側面に至るまで折り曲げられて気密的に接着される。
【００７０】
第１機能要素１１５はまた、周辺エッジ１２１と甲革１１３との間の介在領域において、周辺エッジ１２１の横側部１３５に気密的に接着される。
【００７１】
アセンブリの接着剤の適用は、周辺エッジ１２１の薄い部分に限定され、その薄い部分は都合よく下方へ削り取られる（横側部１３５を備える）。
【００７２】
靴底１１１は周辺が都合よくアセンブリ１１２と可撓性要素１１８とに接合される。
【００７３】
特に、靴底１１１は、アセンブリ端部１２３においてアセンブリ１１２と、蒸気透過区域１１９の周辺の領域１２４において可撓性要素１１８と、少なくとも部分的なモールド処理又は接着によって結合され、蒸気透過区域１１９に周辺密封を施す。
【００７４】
特に、図５に示される第１変形を参照すると、可撓性要素１１８は蒸気の透過に割り当てられた領域に貫通孔１１８ａを備え、大きい厚さを有する。
【００７５】
第１実施形態に対して説明されたものに類似した方法で、図６に示される第２変形は、可撓性要素１１８のタイプにおいてのみ第１実施形態と異なるが、可撓性要素１１８が上側層１２５と下側層１２６を含む複数層からつくられ、下側層１２６は小さい延長部を有し、上側層１２５と下側層１２６との間に第１機能要素１１５に対して説明したタイプの、上側層１２５より小さい延長部を有する第２防水兼蒸気透過機能要素１２７が介在するので、可撓性要素１１８はその孔の存在のおかげで蒸気透過性であるのみならず、防水性であることができる。
【００７６】
この第２実施形態においても、第２機能要素１２７の延長部は、下側層１２６のそれに等しく、可撓性要素１１８の蒸気透過区域１１９を都合よく最大にする。
【００７７】
上側層１２５と第２機能要素１２７は接着され、周辺領域１２４において互いに防水密封を施す。
【００７８】
第２機能要素１２７も、同じく周辺領域１２４において下側層１２６に防水密封を施すように接着される。
【００７９】
上側層１２５と下側層１２６は、それらを分離する第２機能要素１２７に関して対称的に整列される貫通孔１２５ａと１２６ａを備える。
【００８０】
この第２実施形態の他の変形において、図示しないが、第２機能要素は下側層よりも小さい延長部を有するので、安全な密封を施すために蒸気透過区域の一部を縮小する。第２機能要素に密封を施すための各接着に加えて、上側層と下側層は、周辺が互いに第２機能要素に接着され、この場合でも、それらを分離する第２機能要素に関して対称的に整列される貫通孔をそれぞれ有する。
【００８１】
予想されるように、靴底１１１は、少なくとも部分的な相互モールド処理によって、アセンブリ１１２と可撓性要素１１８に結合される。それは、アセンブリ１１２と可撓性要素１１８の上に、少なくとも周辺領域１２４において、それを密封するために少なくとも部分的に重ねモールド処理される。
【００８２】
特に、靴底１１１は、多くの孔を有し接地面を形成する下側部分１２８と、上側部分１２９とから構成され、上側部分１２９は、外側周辺側部１３０によって好ましく構成されると共に、中央が蒸気透過要素１３１によって構成され、蒸気透過要素１３１は蒸気透過区域１１９において、実質的には中底１１６において、及び接地面の多くの孔を有する区域において、可撓性要素１１８の下に配置される。
【００８３】
図５と図６の両方において、はっきりと見られるように、外側周辺側部１３０は、周辺領域１２４の上に完全に重ねられ、可撓性要素１１８の周辺エッジ１２１と第１機能要素１１５と甲革１１３との積み重ねによって構成された層のアセンブリのほぼ上に重ねられている。
【００８４】
下側部分１２８と上側部分１２９との間に、第３防水兼蒸気透過機能要素１３２が存在するが、第３防水兼蒸気透過機能要素１３２は、例えば第１防水兼蒸気透過機能要素１１５ために説明したものと同じタイプの膜によって構成される。
【００８５】
変形として、第３防水兼蒸気透過機能要素１３２は、欧州特許公報第EP2298099 B1号において本願の出願人によって開示された同じタイプのものであることが可能であり、それは防水性で蒸気透過性の高分子材料で作られたモノリシックシート状構造を有し、ISO 20344-2004規格の5.8.2章に示された方法により算出された約10Nより大きい浸透抵抗をそれに与えるような厚さを有する。この場合には、その厚さは、通常、第１防水兼蒸気透過機能要素１１５の厚さのほぼ３または４倍である。
【００８６】
第３防水兼蒸気透過機能要素１３２は、それ自体公知の蒸気透過性下方保護層１３３に都合よく結合され、蒸気透過性下方保護層１３３はそれ自体公知であるが、周辺が靴底１１１のアセンブリと密封を形成するように接合される。
【００８７】
ここでまた、注目されることであるが、第３防水兼蒸気透過機能要素１３２は、下側部分１２８の上面に形成された平坦ポケット１３４の中に配置され、特に、外側周辺側部１３０と下側部分１２８との間でロックされている。
【００８８】
靴底１１１は、蒸気の透過に割り当てられた領域に対応する中央部分に作用することなく、気密的に結合される。
【００８９】
可撓性要素１１８の特別な段差状の形態によって、アセンブリ端部１２３を、既に述べたように、段差１２０の側面に至るまで折り返すことができ、それによって、周辺領域１２４に対応する自由表面が存在し、流動性のポリマーが外側周辺側部１３０への注入の間にその自由表面に都合よく到達する。
【００９０】
この第２実施形態の異なる変形において、靴底は、独立して設けられ、可撓性要素を密封するようにアセンブリと接着によって結合されることが可能である。
この場合は、靴底は、可撓性要素１１８の周辺領域１２４上に完全に重ね合わされて防水性の封止を与えるように接着されるような形状を有する。
【００９１】
注目すべきことであるが、所謂、段差２０の存在によってアセンブリ端部２３の完全な寸法合わせが可能になる。実際、もし材料の弾性、またはアセンブリ機械のクランプ力によってアセンブリ端部２３が段差２０の側面を超えて移動しようとすると、アセンブリ端部２３は、段差２０との突合せにより容易に切り取られる。
【００９２】
注目すべきことであるが、アセンブリ端部２３を可撓性要素１８の周辺エッジ２１の下に段差２０の側面に至るまで折り曲げることによって、周辺領域２４の下側表面に対応する自由表面が必然的に得られるが、流動性ポリマーは、外側周辺側部３０の注入中にその周辺領域２４に到達する。外側周辺側部３０が存在しないことが、背景技術の欠点であることを証明した。
【００９３】
なお、これらの見解は、この発明による靴の両実施形態に対して妥当である。
【００９４】
さらに、この発明による靴の第２実施形態によって、周辺エッジ２１の水平部分においてのみならず、可撓性要素１１８の横側面１３５においても、第１防水兼蒸気透過機能要素１１５の密封による追加の効果が達成される。この特別な構造のおかげで、靴のつま先や、かかとのような小さい湾曲半径を有するアセンブリ１１２の領域において、可撓性要素１１８の下に折り返されるアセンブリ端部１２３で必然的に形成される特徴的な折り目やしわを有しない領域内で甲革１１３と第１防水兼蒸気透過機能要素１１５に接着剤を塗って加圧することが可能である。
【００９５】
実際には、この発明は、蒸気透過性の靴底と甲革を有する靴を考案することによって、意図する目標と目的を達成することが見出されたが、その靴は、甲革や靴底を介しての、及びそれらの接合領域を介してさえの、水の浸透のない完全な防水性を保証することができ、特に、相互モールド処理か接着かのいずれかによってアセンブリに結合された靴底の高分子材料が、靴の中底に達する水の浸透を全て防止し得ることを保証することができる。
【００９６】
さらに、その靴は、公知の技術で容易に再生可能である。
【００９７】
このようにして考案されたこの発明は、多数の変形や変更の影響を受けやすいが、それらの全ては添付の特許請求の範囲の範囲内にあり、さらに細部の全ては他の技術的均等物と置換可能である。
【００９８】
実際、使用された材料は、それらが特定の用途に互換性がある限り、不確かな形状や寸法と同様に、技術の要求や状態により、どのようなものであってもよい。
【００９９】
本願の優先権主張の基礎出願であるイタリア国特許出願第PD2014A000186号の開示は、引用によって、ここに組み込まれる。
【０１００】
特許請求の範囲に記載される技術的特徴が参照符号を従える場合には、それらの符号は特許請求の範囲を分かり易くするというだけの目的のために含まれたのであり、従って、そのような参照符号は、そのような参照符号による実例によって特定される各要素の解釈について、いかなる限定効果を有するものではない。
【図１】
0006751705.tif 000002
【図２】
0006751705.tif 000003
【図３】
0006751705.tif 000004
【図４】
0006751705.tif 000005
【図５】
0006751705.tif 000006
【図６】
0006751705.tif 000007